(57)【要約】【課題】  複数のメダル遊技機又はメダル貸し機が列設された島の上方位置にメダルを各メダル遊技機又はメダル貸し機へ供給する供給コンベヤを設け、その供給コンベヤの始端部の上方位置にメダルを貯溜するホッパーを設けたメダル供給機において、メダルが溢れたり詰まったりすることなく安定して供給できるようにする。【解決手段】  ホッパー５ｃの吐出口５ｄ近傍にメダルｍの供給量を制限する供給量制限装置６を設ける。その供給量制限装置６は、ホッパー５ｃの吐出口５ｄの前方位置にメダルｍとの接触でその積み重なった高さに応じた角度に前端が上向く傾斜板６ａを前後方向にシーソー可能に枢支し、その傾斜板６ａの後端にそのシーソー動作で供給コンベヤ３との間隔を変更してメダルｍの通過量を制限する制限板６ｅを下向きに突設し、その制限板６ｅを上方へ付勢する重り６ｆを傾斜板６ａの前部に設けた構造とする。【選択図】  図３
2010167121.tif 000002
【特許請求の範囲】
【請求項１】
複数のメダル遊技機又はメダル貸し機が列設された島の上方位置にメダルを各メダル遊技機又はメダル貸し機へ供給する供給コンベヤを設け、その供給コンベヤの始端部の上方位置にメダルを貯溜するホッパーを設け、そのホッパーの吐出口近傍にメダルの供給量を制限する供給量制限装置を設けたメダル供給機であって、前記供給量制限装置は、ホッパーの吐出口の前方位置にメダルとの接触でその積み重なった高さに応じた角度に前端が上向く傾斜板を前後方向にシーソー可能に枢支し、その傾斜板の後端にそのシーソー動作で供給コンベヤとの間隔を変更してメダルの通過量を制限する制限板を下向きに突設し、その制限板を上方へ付勢する付勢手段を備えた構造であることを特徴とする、メダル供給機。
【請求項２】
制限板が、傾斜板の枢支点から所定半径の円弧状に湾曲させたものである、請求項１記載のメダル供給機。
【請求項３】
付勢手段が、傾斜板の前部に備えた重りである、請求項１又は２記載のメダル供給機。
【請求項４】
供給量制限装置がホッパーに対して脱着可能に取り付けられたものである、請求項１〜３いずれか記載のメダル供給機。
【請求項５】
傾斜板がバネ鋼で構成したものである、請求項１〜４いずれか記載のメダル供給機。
【請求項６】
制限板がバネ鋼で構成したものである、請求項１〜５いずれか記載のメダル供給機。
【発明の詳細な説明】
【技術分野】
【０００１】
本発明は、島の各メダル遊技機及びメダル貸し機へメダルを供給するメダル供給機に関する。
【背景技術】
【０００２】
従来のメダル供給機が特許文献１に開示されている。この技術は、島の上方位置にメダルを各メダル遊技機及びメダル貸し機へ供給する供給コンベヤを設け、島の下方位置に各メダル遊技機から排出されたメダルを回収する回収コンベヤを設け、その回収コンベヤで回収されたメダルを洗浄研磨して供給コンベヤの始端部に供給して循環させるようにしている。
【０００３】
このメダル供給機は、供給コンベヤの始端部の上方位置に洗浄研磨済みのメダルを貯溜するホッパーを設け、そのホッパーの吐出口からメダルを落下させて供給する構造で、供給コンベヤにメダルを吐出した際、供給量を制限できるようにしている。その制限手段の具体例としては、図５に示されるものがある。図中、１０は供給コンベヤ、１０ａは側壁、１１はホッパー、１１ａは吐出口、１２は小コンベヤ、ｍはメダルである。
【０００４】
図５（ａ），（ｂ）に示すのは、ホッパー１１の吐出口１１ａの下端と供給コンベヤ１０との間に間隔を形成し、その間隔でメダルｍの供給量を制限する方法である。しかし、この技術は、図５（ａ）に示すように間隔が大きいと多量のメダルｍが供給されて供給コンベヤ１０の側壁１０ａから溢れ出ることがあり、図５（ｂ）に示すように間隔が小さいとメダルｍが吐出口１１ａで詰まることがあった。
【０００５】
また、図５（ｃ）に示すのは、ホッパー１１の吐出口１１ａと供給コンベヤ１０との間に搬送速度が供給コンベヤ１０より低速の小コンベヤ１２を設け、その速度差により小コンベヤ１２上の積み重なったメダルｍを落下後に適量に散開させて供給できるようにした方法である。しかし、この技術は設備が複雑大型化して高コストとなる問題があった。
【先行技術文献】
【特許文献】
【０００６】
【特許文献１】特開２００７−１１１１５３号公報
【発明の概要】
【発明が解決しようとする課題】
【０００７】
本発明が解決しようとする課題は、従来のこれらの問題点を解消し、メダルを溢れたり詰まったりすることなく安定して供給できる低コストのメダル供給機を提供することにある。
【課題を解決するための手段】
【０００８】
かかる課題を解決した本発明の構成は、
１）  複数のメダル遊技機又はメダル貸し機が列設された島の上方位置にメダルを各メダル遊技機又はメダル貸し機へ供給する供給コンベヤを設け、その供給コンベヤの始端部の上方位置にメダルを貯溜するホッパーを設け、そのホッパーの吐出口近傍にメダルの供給量を制限する供給量制限装置を設けたメダル供給機であって、前記供給量制限装置は、ホッパーの吐出口の前方位置にメダルとの接触でその積み重なった高さに応じた角度に前端が上向く傾斜板を前後方向にシーソー可能に枢支し、その傾斜板の後端にそのシーソー動作で供給コンベヤとの間隔を変更してメダルの通過量を制限する制限板を下向きに突設し、その制限板を上方へ付勢する付勢手段を備えた構造であることを特徴とする、メダル供給機
２）  制限板が、傾斜板の枢支点から所定半径の円弧状に湾曲させたものである、前記１）記載のメダル供給機
３）  付勢手段が、傾斜板の前部に備えた重りである、前記１）又は２）記載のメダル供給機
４）  供給量制限装置がホッパーに対して脱着可能に取り付けられたものである、前記１）〜３）いずれか記載のメダル供給機
５）  傾斜板がバネ鋼で構成したものである、前記１）〜４）いずれか記載のメダル供給機
６）  制限板がバネ鋼で構成したものである、前記１）〜５）いずれか記載のメダル供給機
にある。
【発明の効果】
【０００９】
本発明によれば、多量のメダルが傾斜板を押し上げて通過すると制限板が下降して次に通過するメダルが少量に制限され、少量のメダルが傾斜板を押し上げて通過すると制限板が上方へ移行して次に通過するメダルが増加する。この傾斜板のシーソー動作によって、過剰な量の供給が抑制されるとともに詰まりも発生し難いものとなる。また、供給量制限装置はホッパーの吐出口近傍に設けるものであるから、構造が簡素で設備が複雑大型化することがない。
【図面の簡単な説明】
【００１０】
【図１】実施例のメダル供給機の説明図である。
【図２】実施例の供給量制限装置の説明図である。
【図３】実施例のメダル供給量の制限を示す説明図である。
【図４】実施例のメダルの供給量を示すグラフである。
【図５】従来のメダル供給機の説明図である。
【発明を実施するための形態】
【００１１】
本発明では、前記２）記載の構成を具備すると、制限板のメダルとの接触部分が真上へ移動することになり、メダルとの摩擦が軽減されて円滑に移動できる。平板状であると接触しているメダルを押し上げてしまい、円滑に移動し難いことがある。前記３）記載の付勢手段としては、傾斜板の前部に備えた重りの他、傾斜板を押し下げるバネ、又は制限板を引っ張るバネ等が使用できる。前記４）記載の構成を具備すると、既設のホッパーに後付けが可能となり、低コストで実施できる。前記４，５）記載の構成を具備すると、傾斜板及び制限板にメダルが接触すると弾性変形してメダルを容易に通過させ、多量のメダルが接触した際の詰まりを防止できる。また、供給コンベヤに接地する際の衝撃も緩和できる。以下、本発明の実施例を図面に基づいて具体的に説明する。
【実施例】
【００１２】
図１は実施例のメダル供給機の説明図、図２は実施例の供給量制限装置の説明図、図３は実施例のメダル供給量の制限を示す説明図、図４は実施例のメダルの供給量を示すグラフである。図中、１はメダル遊技機、２はメダル貸し機、３は供給コンベヤ、３ａは側壁、３ｂはゲート、４は回収コンベヤ、５はメダル供給機、５ａはリフター、５ｂは洗浄研磨装置、５ｃはホッパー、５ｄは吐出口、６は供給量制限装置、６ａは傾斜板、６ｂは台座、６ｃは枢支片、６ｄは突起、６ｅは制限板、６ｆは重り（付勢手段）、６ｇは取付具、６ｈは係止穴、６ｉはネジ、６ｊは枢支軸、６ｋは当て板、６ｍは板バネ、６ｎはストッパー、ｍはメダルである。
【００１３】
本実施例のメダル遊技設備は、図１に示すように、複数のメダル遊技機１とメダル貸し機２が列設された島の上方位置にメダルｍを供給する供給コンベヤ３を設け、メダル遊技機１とメダル貸し機２の直上位置に供給コンベヤ３上のメダルｍを誘導して機内へ取り込むゲート３ｂを設け、島の下方位置にメダル遊技機１から排出されたメダルｍを回収する回収コンベヤ４を設け、回収コンベヤ４で回収されたメダルｍを洗浄研磨して供給コンベヤ３の始端部へ供給するメダル供給機５を島の端部に設けている。
【００１４】
メダル供給機５は、回収されたメダルｍを上方へ搬送するリフター５ａを設け、リフター５ａで搬送されたメダルｍを洗浄研磨する洗浄研磨装置５ｂを設け、洗浄研磨装置５ｂで洗浄研磨されたメダルｍを貯溜するホッパー５ｃを設け、ホッパー５ｃの吐出口５ｄの近傍に吐出されたメダルｍの供給量を制限する供給量制限装置６を設けている。
【００１５】
供給量制限装置６は、図２に示すように、傾斜板６ａの上部に台座６ｂを取り付け、その台座６ｂの前後の中間部を枢支片６ｃの枢支軸６ｊにシーソー可能に枢支し、その傾斜板６ａの後端に制限板６ｅを下向きに突設し、台座６ｂの前部に重り６ｆを載せ、係止穴６ｈを開口した取付具６ｇをホッパー５ｃの下面に取り付け、枢支片６ｃに備えた突起６ｄを取付具６ｇの係止穴６ｈに係止してネジ６ｉで脱着可能に固定している。
【００１６】
傾斜板６ａの後上面には当て板６ｋを縦向きに取り付け、枢支片６ｃの後部に湾曲させた板バネ６ｍを当て板６ｋと常に接触するように取り付け、傾斜板６ａが重り６ｆで傾動する際に板バネ６ｍの弾性変形で供給コンベヤ３に緩やかに接地できるようにしている。取付具６ｇの後端には、制限板６ｅが接触することで傾斜板６ａの傾動を制限するストッパー６ｎを形成している。傾斜板６ａと制限板６ｅはバネ鋼で構成している。
【００１７】
傾斜板６ａの先端は若干上向きに湾曲させ、後方のメダルｍが傾斜板６ａを引っ掛かりなく押し上げ易いようにしている。制限板６ｅは、傾斜板６ａの枢支点から所定半径の円弧状に湾曲させ、制限板６ｅが上方へ移動する際にメダルｍとの摩擦を軽減して円滑に移動できるようにしている。制限板６ｅの突出長さは、制限板６ｅが供給コンベヤ３に接地した際、傾斜板６ａの先端が供給コンベヤ３の側壁３ａを超えないように形成している。重り６ｆは、非供給時では傾斜板６ａが供給コンベヤ３に接地でき、且つ後方のメダルｍと接触すると容易に押し上げできる重さに形成されている。
【００１８】
本実施例では、非供給時においては、図２に示すように、重り６ｆにより傾斜板６ａの前端が下向きへ傾いて供給コンベヤ３に接地し、制限板６ｅは最上に位置している。図３（ａ）に示すように、供給コンベヤ３を作動させてホッパー５ｃのメダルｍを吐出口５ｄから吐出させると、供給コンベヤ３上に落下して多数枚が積み重なった状態で制限板６ｅの下方を通過する。
【００１９】
続いて、図３（ｂ）に示すように、積み重なったメダルｍが傾斜板６ａを後方から押し上げ、その押し上げと同時に制限板６ｅが下降して供給コンベヤ３との間隔が小さくなる。傾斜板６ａの下方のメダルｍは傾斜板６ａを押し上げながら通過して供給され、後続の積み重なったメダルｍは小さくなった間隔で高さが制限されながら通過する。その制限された後続のメダルｍは同じように傾斜板６ａを押し上げながら通過して供給され、その押し上げで更に後続のメダルｍも高さが制限されながら通過し、この動きが連続しながら供給される。
【００２０】
多量のメダルｍが吐出された場合は、傾斜板６ａが大きく押し上げられて詰まることなく円滑に通過する。しかし、その分制限板６ｅが大きく下降して後続のメダルｍの通過量が大きく制限され、過剰な量のメダルｍが連続して供給されることはない。このように、多量のメダルｍが傾斜板６ａを通過すると制限板６ｅを通過するメダルｍが少量に制限され、少量のメダルｍが傾斜板６ａを通過すると制限板６ｅを通過するメダルｍが増加し、この傾斜板６ａのシーソー動作によって、過剰な量の供給が抑制されるとともに詰まりも発生し難いものとなる。
【００２１】
図５（ａ），（ｂ）の従来技術を従来例１，２とし、メダルｍの供給量を本実施例と対比する。図４に示すように、本実施例では傾斜板６ａのシーソー動作により変動するが、供給量が適正以上又は適正以下の状態が継続することはなく、全体として安定している。従来例１はホッパー１１の吐出口１１ａと供給コンベヤ１０との間隔が大きいから詰まり難いが、最初から過剰な量が連続して供給され、供給コンベヤ１０の側壁１０ａから溢れ易くなる。従来例２は最初は適正な量が供給されるが、間隔が小さいから詰まり易く、一度詰まると回復せずに供給が滞ることがある。
【００２２】
本実施例Ａは軽い重り６ｆを使用した場合で、傾斜板６ａは供給コンベヤ３に完全に接地することなくメダルｍが連続的に供給されている例である。本実施例Ｂは比較的重い重り６ｆを使用した場合で、傾斜板６ａが供給コンベヤ３に接地してメダルｍが間欠的に供給されている例である。この場合は、メダルｍの供給が途切れることでゲート３ｂがその作動時にメダルｍを搬送面との間に挟み難くなる。ゲート３ｂがメダルｍを挟むと隙間が形成されてメダルｍが通過してしまい、必要量のメダルｍを迅速に取り込み難くなることがある。
【産業上の利用可能性】
【００２３】
本発明の技術は、スロットマシン等のメダル遊技機又はそのメダル遊技機用のメダルを遊技者に貸し出すメダル貸し機にメダルを供給する設備に利用される。
【符号の説明】
【００２４】
１  メダル遊技機
２  メダル貸し機
３  供給コンベヤ
３ａ  側壁
３ｂ  ゲート
４  回収コンベヤ
５  メダル供給機
５ａ  リフター
５ｂ  洗浄研磨装置
５ｃ  ホッパー
５ｄ  吐出口
６  供給量制限装置
６ａ  傾斜板
６ｂ  台座
６ｃ  枢支片
６ｄ  突起
６ｅ  制限板
６ｆ  重り（付勢手段）
６ｇ  取付具
６ｈ  係止穴
６ｉ  ネジ
６ｊ  枢支軸
６ｋ  当て板
６ｍ  板バネ
６ｎ  ストッパー
１０  供給コンベヤ
１０ａ  側壁
１１  ホッパー
１１ａ  吐出口
１２  小コンベヤ
ｍ  メダル
【図１】
2010167121.tif 000003
【図２】
2010167121.tif 000004
【図３】
2010167121.tif 000005
【図４】
2010167121.tif 000006
【図５】
2010167121.tif 000007